(57)【要約】この蓄電装置１００は、少なくとも蓄電池ユニット１１を収容する筐体を有する本体部９０と、筐体の外側に配置された支柱であって、その上端が上記筐体の上面よりも突出している支柱２１１−１、２１１−２とを備えている。
2016175270.tif 000002
【特許請求の範囲】
【請求項１】
少なくとも蓄電池ユニットを収容する筐体を有する本体部と、
前記筐体の外側に配置された支柱であって、その上端が前記筐体の上面よりも突出している支柱と、
を備える、蓄電装置。
【請求項２】
さらに、
（ｉ）前記支柱の一部を前記筐体に対して固定する固定部材、または
（ｉｉ）前記支柱が外側に変位するのを規制する押さえ部材を備える、
請求項１に記載の蓄電装置。
【請求項３】
さらに、
前記支柱の下端側の一部に固定され、前記支柱が外側に変位するのを規制する連結部材を備える、請求項１または２に記載の蓄電装置。
【請求項４】
前記支柱として、前記筐体の前面側に配置された支柱と、背面側に配置された支柱とが配置されている、請求項１〜３のいずれか一項に記載の蓄電装置。
【請求項５】
前面側の前記支柱と、背面側の前記支柱とが対の形態で配置されている、請求項４に記載の蓄電装置。
【請求項６】
さらに、
前面側の前記支柱と背面側の前記支柱との上部に配置された受け部材を備える、請求項５に記載の蓄電装置。
【請求項７】
前記受け部材は、所定の間隙をおいて、前記本体部の筐体よりも上方に配置されている、請求項６に記載の蓄電装置。
【請求項８】
前記支柱が４本以上設けられている、請求項４または５に記載の蓄電装置。
【請求項９】
前記支柱が、断面略コ字型の単独の金属部材で構成されている、請求項１〜８のいずれか一項に記載の蓄電装置。
【請求項１０】
前記支柱が、２本の断面略コ字型の金属部材の組合せで構成されている、請求項１〜８のいずれか一項に記載の蓄電装置。
【請求項１１】
前記押さえ部材は、前記支柱よりも外側に配置されるものであって、
さらに、前記押さえ部材の横方向の位置を位置決めする部材を有する、請求項２に記載の蓄電装置。
【請求項１２】
さらに、
前記本体部が搭載される架台部を備える、請求項１〜１１のいずれか一項に記載の蓄電装置。
【請求項１３】
少なくとも蓄電池ユニットを収容する筐体を有する本体部に対して取付可能な補強構造であって、
前記筐体の高さ寸法よりも長い２本の支柱と、
前記支柱どうしをその上端で連結する受け部材と、
を備える、補強構造。
【請求項１４】
さらに、
前記支柱どうしをその下端で連結する連結部材を備える、請求項１３に記載の補強構造。
【発明の詳細な説明】
【技術分野】
【０００１】
本発明は、蓄電装置等に関し、特に、電池を収容する本体部（筐体部）が補強された蓄電装置および補強構造に関する。
【背景技術】
【０００２】
近年、例えば電気料金が安い深夜に蓄電池の充電を行いその電気を昼間に利用したり、太陽光発電によって昼間に充電された電気を夜間に利用したりするために蓄電装置が利用されるようになってきている。蓄電装置としては、工場や事業所に設置される大型のものから、店舗や一般住宅等に設置される中小型のものまで種々のものがある。【０００３】
特許文献１には、複数の蓄電池を収容した幾つかの蓄電池収容箱と、例えばＨ型鋼などで構成されたベースとを備えた蓄電装置が開示されている。この蓄電装置では、蓄電池収容箱どうしを連結するとともに、蓄電池収容箱とベースとを連結することで、耐震強度等を改善したとなっている。
【先行技術文献】
【特許文献】
【０００４】
【特許文献１】特開２０１５−２６４３７号公報
【発明の概要】
【発明が解決しようとする課題】
【０００５】
ところで、蓄電装置においては、例えば地震などの災害時に万が一重量物がその上に落下したような場合であっても、電池を収容する本体部が破壊、損傷しないようになっていることが、安全性の観点から望ましい。【０００６】
上述したような従来の構成では、耐震強度の改善は確かに図られ得るが、同文献では、そのような落下物による本体部の破損または損傷を防止するという技術的思想は何ら記載されていない。【０００７】
本発明は、上記のような問題点に鑑みてなされたものであって、その目的は、電池を収容する本体部が補強された蓄電装置および補強構造を提供することにある。
【課題を解決するための手段】
【０００８】
上記目的を達成するための本発明の一形態に係る蓄電装置は、次のとおりである：
少なくとも蓄電池ユニットを収容する筐体を有する本体部と、
前記筐体の外側に配置された支柱であって、その上端が前記筐体の上面よりも突出している支柱と、
を備える、蓄電装置。【０００９】
（本明細書における用語の説明）
「蓄電池モジュール」とは、１つまたは複数の電池セルと、それを収納するケースとを備え、所定の電力を出力するモジュールことをいう。
「蓄電池ユニット」とは、上記のような電池モジュールを複数有するものをいう。
「蓄電装置」は、少なくとも１つの蓄電池ユニット（電池部）と、その制御回路等を備えた装置全体のことをいう。
【発明の効果】
【００１０】
本発明によれば、電池を収容する本体部が補強された蓄電装置および補強構造を提供することにある。
【図面の簡単な説明】
【００１１】
【図１】蓄電装置の基本的構成を示す斜視図である。
【図２】補強構造が取り付けられた蓄電装置を示す斜視図である。
【図３】補強構造および架台部を示す斜視図である。
【図４】本体部に収容される蓄電池モジュールの配置の一例を示す斜視図である。
【図５】略コ字型形状の部材を示す断面図である。
【図６Ａ】補強構造の取付け手順を説明するための図である。
【図６Ｂ】補強構造の取付け手順を説明するための図である。
【図６Ｃ】補強構造の取付け手順を説明するための図である。
【図６Ｄ】補強構造の取付け手順を説明するための図である。
【図７】支柱の座屈を防止するための部材等の斜視図である。
【図８】押さえ部材単体の斜視図である。
【図９】支柱の座屈を防止するための部材等（背面側）およびその周辺構造の斜視図である。
【図１０】支柱の座屈を防止するための部材等（背面側）の斜視図である。
【図１１】他の形態に係る補強構造および蓄電装置を示す斜視図である。
【図１２】図１１の支柱の上端部付近を示す斜視図である。
【図１３】支柱と架台部との配置関係を示す平面図である。
【発明を実施するための形態】
【００１２】
本発明の実施の形態を図面を参照して以下に説明する。なお、図面に表された構成はあくまで本発明の一形態であって、本発明はそれらの具体的な構成に限定されるものではなく、本発明の趣旨を逸脱しない範囲で適宜変更可能である。また、以下の説明では複数存在する部材または部品に関して、枝番の符号（例えば「８３−１」、「８３−２」等）を用いて示すが、それぞれを区別せずに枝番無しの符号（この場合「８３」）で示すこともある。
【００１３】
１．基本的構成
まず、本実施形態で補強の対象となる蓄電装置について説明する。なお、この蓄電装置自体は公知のものであってもよい。蓄電装置は一例で家庭用のものであってもよく、図１に示すように、この例の蓄電装置１００は、架台部８０と、その上に配置された本体部９０とを備えている。
【００１４】
この蓄電装置１００は、例えば商用電源と家電製品等の負荷とに接続され、停電時等のバックアップ電源や補助電力として使用される。蓄電装置１００は、また、余剰の電力を商用電源に供給するために使用できるものであってもよい。太陽電池システムやマイクロ風力発電機等の家庭用分散電源が設けられた家庭では、家庭用分散電源も蓄電装置に接続することもできる。具体的な構成は、特に限定されるものではないが、例えばＷＯ２０１３／１３７４４７に開示されたような構成としてもよい。
【００１５】
（本体部）
本体部９０は、縦長の略直方体の筐体を有し、その内部に、蓄電池ユニットと、パワーコンディショナユニット（ＰＣＳ：Ｐｏｗｅｒ  Ｃｏｎｄｉｔｉｏｎｅｒ  Ｓｙｓｔｅｍ）と、電池管理ユニット等が配置されている（いずれも不図示）。
【００１６】
本体部９０の筐体は、この例では、フロントパネル９１−１、リアパネル９１−２、トップパネル９２、および左右のサイドパネル９３−１、９３−２等で構成されている。いずれのパネルも金属製部材であってもよく、筐体は仕様に応じ密閉構造とされていてもよい。なお、図１では、外装カバー（サンシェード）を取り付けるための部材や、ヒートシンクといった種々の付加的な部品が配置されているが、これらは必須の構成要素ではない。
【００１７】
筐体を構成する各パネルとしては、金属部材（例えばステンレス）を用いることができる。各パネルまたは一部のパネルは、平板状の部材（またはその部材に所定のパターンの凹凸形状を設けたようなもの）であってもよい。筐体が密封構造とされている場合、雨水や塵埃等の侵入が防止され、屋外に配置されるような場合においても長期にわたって使用できるものとなる。
【００１８】
筐体のサイズに関しては、特に限定はないが、例えば、高さ約８００〜１０００ｍｍ、幅約８００〜１０００ｍｍ、奥行き約２５０〜３５０ｍｍ程度としてもよい（ここで、「ａ〜ｂ」は、ａ以上ｂ以下を意図する）。一例として、本体部９０の筐体は、上面から見た形状の縦横比（奥行き：幅）が１：２〜１：１０のような横長のタイプであってもよい。このような形状は、家庭用の蓄電装置として、無駄な配置スペースを要さず屋外に配置することができる点で好適である。
【００１９】
電池管理ユニットはＢＭＵ（Ｂａｔｔｅｒｙ  Ｍａｎａｇｅｍｅｎｔ  Ｕｎｉｔ）とも称される。ＢＭＵは、蓄電池ユニットとＰＣＳ等との間に介在し、各電池の状態に関する情報を収集したり、収集された情報に基づいて電池の状態を判断したりする。ＢＭＵは、また、判断結果に基づいて、各電池収容体の状態を示す情報をＰＣＳユニットおよび制御システムユニットへ出力する。
【００２０】
ＰＣＳユニットは、外部電源や負荷と電気的に接続（交流接続）される。ＰＣＳユニットは、外部電源（商用電源等）から供給される交流電力を直流電力に変換して各電池収容体に出力し、また、各電池収容体から供給される直流電力を交流電力に変換して外部（負荷）へ出力する。
【００２１】
電池管理ユニットは、一例で、演算処理装置、メモリ、およびメモリに記憶されているプログラムから主に構成されている。このユニットは、ＢＭＵおよびＰＣＳユニットと相互に通信できるように接続されている。電池管理ユニットは、蓄電装置を統括的に制御する。電池管理ユニットは、例えば、プログラムに従ってＢＭＵとＰＣＳユニットの間の情報伝達を管理・制御したり、電池の充電量や放電量を管理・制御したり、蓄電装置の運転モード（充電モード、放電モード）を切り替えたりする。
【００２２】
筐体内における蓄電池ユニット等の配置に関しても、種々の配置とすることができるが、例えば図４に示すように、偏平な直方体の蓄電池ユニット１１が上下二段に配置されるものであってもよい。この例では、サイドパネル９３−２が開閉可能に構成されており、開口９０ａを介して、蓄電池ユニット１１を内部に収容できるようになっている。
【００２３】
再び図１を参照し、フロントパネル９１−１の高さ方向の中央部付近には、他の部材を取り付けるための支持部材８３−１、８３−２（単に符号８３で表わすこともある）が配置されている。支持部材８３−１はフロントパネル９１−１の左寄りの位置に設けられ、支持部材８３−２はフロントパネル９１−２の右寄りの位置に設けられている。支持部材８３は、断面略コ字形の部材（一例で金属部材）であって、その開口側がパネルに対向するような姿勢で、フロントパネル９１に取り付けられている。なお、図１に示すように、支持部材８３−１、８３−２の間であってやや下寄りの位置には、他の支持部材８４（一例で金属部材）も設けられている。
【００２４】
リアパネル９１−２に関しても、基本的に前面側と同様、高さ方向の中央部付近に他の部材を取り付けるための一対の支持部材（図９の符号８３−３、８３−４参照。）が設けられている。
【００２５】
（架台部）
架台部８０は、図３に分かりやすく示されているように、一対の架台部材８９−１、８９−２と、一対の接続部材８８とで構成されている。架台部８０上に本体部９０を配置する構成とすることで、例えば、雨水等による浸水を防止することができ、また、配線スペースの確保等も可能となる。架台部材８９−１、８９−２は、それぞれ断面コ字型であり、装置の前面側および背面側に配置されている。
【００２６】
接続部材８８は、架台部材８９−１、８９−２の端部寄りの位置に配置され、両部材を接続している。これらの４つの部材により、上面側から見て略四角い枠状の架台部８０が構成されている。
【００２７】
架台部８０の各部材は、金属製部材で構成することができる。特に、表面にメッキなどの表面を防錆処理が施された材料を利用することも好ましい。架台部材８９−１、８９−２は、断面コ字型のもの以外にも、Ｈ鋼などを用いてもよい。
【００２８】
２．補強構造
本実施形態の蓄電装置は、図１に示したような蓄電装置の本体部９０にさらに補強構造２０１（図２参照）を取り付けた構成となっている。補強構造２０１は、本体部の強度（特には上方からの荷重に対する強度）を向上させるためのものである。
【００２９】
（補強構造の第１の形態）
具体的には、補強構造２０１は、図３に示すように、本体部の前面側に配置される支柱２１１−１および背面側に配置される支柱２１１−２（以下、これらを単に支柱２１１ともいう）を有している。また、補強構造２０１は、支柱２１１の上端部に配置される受け部材２１３と、支柱２１１の下端部どうしを接続する連結部材２１５とを有している。
【００３０】
支柱２１１、受け部材２１３、および連結部材２１５は、例えばステンレス鋼などの金属部材で構成することができる。支柱２１１は、中実の金属製部材であってもよいが、断面形状が略コ字型の部材としてもよい。なお、本明細書において「略コ字型」とは、例えば図５（ａ）に示すように、中央部７０１と、その端部から延びる側部７０２、７０２とで構成される「コ字型」に加え、図５（ｂ）のような、中央部７０１と、その端部から延びる側部７０２、７０２と、さらにそこから屈曲する延長部７０３、７０３とで構成されるような実質的な「コ字型」をも含む。また、中央部７０１と側部７０２とが直角以外の角度で交差するものや、角部がＲ状に湾曲しているものなども含む。
【００３１】
再び図２を参照する。本形態では、補強構造２０１は、本体部９０の幅方向（図１の左右方向）の中央部付近に取り付けられている。「中央部付近」としては、一例として、中央部から左右にそれぞれ本体部（筐体）幅寸法の３０％までの領域内、好ましくは、中央部から左右にそれぞれ本体部幅寸法の１５％までの領域内である。支柱２１１が中央部に存在している構成の方が、支柱２１１が例えば装置の左右片側に偏って設けられている構成と比較して、落下物が筐体にぶつかる可能性が低いためである。
【００３２】
支柱２１１−１、２１１−２は、本体部９０の高さよりも長いことが好ましい。支柱２１１−１、２１１−２の上端は、本体部９０のトップパネル９２よりも上方に突出している。突出量は、蓄電装置のサイズや支柱の材質等を考慮して適宜設定すればよいが、例えば３ｍｍ以上、または５ｍｍ以上、または１０ｍｍ以上などとすることができる。支柱２１１−１、２１１−２の下端は、架台部材８９の上面に近接している（または当接している）。なお、支柱２１１−１、２１１−２は、装置最下端部（すなわち架台の最下端、地面に当接するような位置）まで伸びていてもよい。
【００３３】
もっとも、本形態のように、装置上面側から見て、架台部材８９−１、８９−２の投影領域（図１３の破線領域を参照）の内側に支柱２１１−１、２１１−２が配置される構成の場合、装置の設置面積を増加させずに済むので、好ましい。ただし、このような構成は本発明に必須ではなく、支柱が同領域から一部出るような構成としてもよく、これについては他の態様として後述するものとする。
【００３４】
支柱２１１−１、２１１−２の上端には、上方からの荷重を受けるための受け部材２１３が設けられていることが好ましい。受け部材２１３は、一例で、十分な剛性を有する金属部材である。平たい板状の部材、断面略コ字型の部材、角柱状の部材などを利用してもよい。受け部材２１３は、各支柱２１１に対して固定されていてもよく、固定は一例でネジ止め等により実施可能である。
【００３５】
受け部材２１３は、その下面が本体部９０のトップパネル９２に当接するような態様とすることも可能ではあるが、所定の間隔をあけて、トップパネル９２より上方に配置されていることが好ましい。
【００３６】
受け部材２１３は、この例では水平に配置されているが、本発明の他の一形態においては傾斜して配置されていても構わない。
【００３７】
支柱２１１−１、２１１−２の下端部どうしは連結部材２１５によって互いに連結されている。連結部材２１５は１つであってもよいが、この例では、一対の連結部材２１５が使用されている。連結部材２１５は、本体部９０の下方に形成された開口部Ｓ９０の内部に配置され、その一端が前面側の支柱２１１−１に固定され、他端が背面側の支柱２１１−０２に固定されている。
【００３８】
固定は一例でネジ止め等により実施可能であるが、当然ながらこれに限定されるものではない。なお、この例では、連結部材２１５が両方の支柱２１１−１、２１１−２に固定されているが、そのような構成に代えて次のような構成としてもよい。すなわち、一部が本体部９０または架台８０などに連結され、他の一部が支柱２１１に連結されるような部材である。連結部材２１５の役割の１つとしては後述するように支柱２１１の外側への変位を防止することにあるが、このような部材であったとしても同様の機能を果たすことができるためである。
【００３９】
支柱２１１の高さ方向の中間部領域には、図２に示すように、支柱２１１が外側（本体部９０から離れる方向）に変位するのを防止するための押さえ部材２３３等が配置されている。「中間部領域」としては、例えば、支柱２１１の高さの中央部を基準として、支柱の長さの８０％となる領域（すなわち、中央部から上方に支柱長さの４０％、下方に支柱長さの４０％の領域）、好ましくは５０％（上方に支柱長さの２５％、下方に支柱長さの２５％の領域）となる領域である。
【００４０】
押さえ部材２３３に近接して、固定部材２３５が配置されている。これらの部材の機能等については、他の図面も参照して後述するものとする。
【００４１】
上述したような構成の蓄電装置１００によれば、電池等を内蔵する本体部９０の外側に、本体部９０よりも上方に突出した支柱２１１や、その上部に固定された受け部材２１３が設けられているので、例えば災害時に万一何らかの重量物が装置上に落下したとしても、支柱２１１および補強部材２０１によってその荷重（衝撃荷重）を受けることができ、したがって、本体部９０の変形・破損等が防止される。
【００４２】
また、支柱２１１の下端部どうしは連結部材２１５によって互いに連結され、支柱２１１が外側（本体部９０から離れる方向）に移動しないようになっている。そのため、鉛直方向の力を横方向に逃さず、支柱２１１で良好に荷重を受けることが可能となる。すなわち、支柱２１１が外側に移動するのを規制する部材が何ら存在しない場合、例えば過大な荷重が支柱上部に加わったときに、前後の支柱２１１の下端部側が開くように（互いに離れるように）変位または変形してしまい、荷重を良好に受けることができない可能性もある。これに対して本形態のような構成によれば、そのような変位または変形の発生が防止されるので、支柱２１１で良好に荷重を受けることが可能となる。
【００４３】
また、支柱２１１の高さ方向の中間部領域に配置された押さえ部材２３３の作用により、高荷重が加わった際に支柱２１１が座屈することが防止されるようになっている。
【００４４】
なお、連結部材２１５や押さえ部材２３３の上記のような技術的意義に鑑みれば、当業者であれば、同様の作用効果が奏されるものであれば連結部材２１５や押さえ部材２３３の形状や位置や取付態様を種々変更してもよいことは理解されよう。
【００４５】
続いて、本体部９０に対して補強構造２０１を取り付ける手順の一例について説明する。なお、下記する工程の順番は本発明を何ら限定するものではない。
【００４６】
まず、図１の状態の蓄電装置を用意する。なお、既設の蓄電装置に対して補強構造２０１を後付けする施工であってもよいし、または、製造工程において先ず蓄電装置の半製品作製しそれに対して補強構造２０１を取り付けてもよい。補強構造２０１を構成する各部品についても、例えば板金のプレス加工等によって予め用意しておく。
【００４７】
前面側の支柱２１１−１の取付けは次のように実施することができる。まず、図６Ａに示すように、支柱２１１−１に対して押さえ部材２３３を固定する。固定は一例でネジ止め等により実施可能であるが、当然ながらこれに限定されるものではない。押さえ部材２３３は、図７、図８にも示すように、横方向に一定の長さを有する部材であり、その左右両端部に突出した係止部２３３ａ、２３３ｂが形成されている。押さえ部材２３３は、一例で板金部材であってもよい。支柱２１１−１のやや斜めに傾斜させて係止部２３３ａを、フロントパネルの支持部材８３−１の内側に挿入する（図６Ａの矢印参照）。
【００４８】
次いで、図６Ｂに示すように、今度は反対側の係止部２３３ｂを、フロントパネルの支持部材８３−２の内側に挿入する（図６Ｂの矢印参照）。
【００４９】
これにより、図６Ｃに示すように、押さえ部材２３３の左右の係止部２３３ａ、２３３ｂが両方の支持部材８３−１、８３−２に引っ掛かかり、押さえ部材２３３はフロントパネルから離れる方向（図中の前方向）には移動しない状態となる。
【００５０】
ただし、この状態で左右の位置決めはなされていないため、支柱２１１および押さえ部材２３３は左右方向に可動となっている。そこで、本実施形態では、第２の部材として略Ｌ字型の固定部材２３５をさらに取り付ける。固定部材２３５は、押さえ部材２３３の一部に重なるように、一例でネジ止め等により固定することができる。固定部材２３５を取り付けることで、図９Ｄに示すように、押さえ部材２３３と支持部材８３−１との間に生じていたギャップＳ８３が埋められ、これにより、支柱２１１−１および押さえ部材２３３は左右方向にも位置決め（言い換えれば移動規制）されることとなる。
【００５１】
以上、フロントパネルに対する支柱２１１等の取付けについて説明したが、背面についても同様の手順で取付けを行うことができる。なお、本質的な相違ではないが、図面上、前面側の押さえ部材および固定部材と、背面側の押さえ部材および固定部材との形状が異なっているので、図９、図１０を参照して説明する。
【００５２】
背面側の押さえ部材２３３′は、形状は正面側のものと異なっているが、両端が、それぞれ支持部材８３−３および８３−４の内部に挿入される係止部２３３ａ′、２３３ｂ′となっている点では共通している（図１０参照）。この場合も、上述した手順同様、支柱２１１−２に対して押さえ部材２３３′をまず固定し、一方の係止部２３３ａ′を、リアパネル上の支持部材８３−３の内側に挿入する。次いで、反対側の係止部２３３ｂ′を、他方の支持部材８３−４の内側に挿入する（図９参照）。
【００５３】
これにより、押さえ部材２３３′はリアパネルから離れる方向には移動しない状態となるとなるが、左右の位置決めはなされていないため、続いて、略Ｌ字型の固定部材２３５′を例えばネジ止めにより取り付ける。これにより、支柱２１１−２および押さえ部材２３３′が左右方向にも位置決めされることとなる。
【００５４】
ここまでの作業が完了したら、次いで、支柱２１１−１、２１１−２の上部に、受け部材２１３を固定する。固定は一例でネジ止め等により実施可能であるが、当然ながらこれに限定されるものではない。支柱２１１−１、２１１−２は、いずれも上記のとおり左右の位置決めがなされ、互いに対向するような位置となっている。したがって、受け部材２１３を固定する際に両支柱の位置を互いに位置合わせする必要はない。
【００５５】
また、支柱２１１−１、２１１−２の下端部については、一対の連結部材２１５を固定して、下端部どうしを互いに連結する。固定は一例でネジ止め等により実施可能であるが、当然ながらこれに限定されるものではない。
【００５６】
以上一連の手順により、蓄電装置の本体部９０に対して補強構造２０１が取り付けられる。別の言い方をすれば、補強構造２０１を備えた蓄電装置１００が作製される。このような後付け可能な補強構造２０１によれば、これらから製造する蓄電装置だけではなく、既存の蓄電装置の補強にも好適に用いることができる点で有利である。
【００５７】
（補強構造の第２の形態）
図１１に示すような補強構造を利用することも可能である。この例では、蓄電装置の本体部９０の外側に補強用の支柱２６３が設けられている。具体的には、前面側に２本の支柱２６３が配置され、背面側に２本の支柱２６３が配置されている。
【００５８】
なお、支柱は４本に限らず、少なくとも１本、好ましくは２本以上（例えば、前面側に１本および背面側に１本）配置されているものであってもよい。一例として、３本の支柱を配置するようにしてもよく、この場合例えば、前面側に２本、背面側に１本の配置としてもよいし、前面側に１本、背面側に２本の配置としてもよい。限定されるものではないが、このような「２本−１本」の配置の場合、２本の支柱を装置の側部付近に位置させ、他の１本の支柱は装置の中央部付近に位置させるようにしてもよい。
【００５９】
ただし、図１１の例のように蓄電装置の前面の左右２箇所、背面の左右２箇所に支柱２６３が配置されている場合、例えば震災等の際、何らかの重量物が装置上に落下したとしても、少なくともいずれかの支柱２６３でそれを受けることができる可能性が高くなるので、装置本体の破損、故障の防止の観点から好ましい。
【００６０】
支柱２６３は、上記した実施形態と同様、その上端の高さが本体部９０のトップパネル９２よりも上方となっている。突出量は、蓄電装置のサイズや支柱の材質等を考慮して適宜設定すればよいが、上記形態と同様、例えば３ｍｍ以上、または５ｍｍ以上、または１０ｍｍ以上などとすることができる。
【００６１】
支柱２６３の金属部材であってもよく、例えば図１２に示すように２本の断面略コ字型の支柱部材２６１、２６２の組合せで構成されるものであってもよい。すなわち、断面略コ字型の部材を互いに対向させて連結することによって中空の柱部材（角柱状）とされたものであってもよい。
【００６２】
支柱２６３の断面形状は正方形および正方形に近い形状であってもよいし、より偏平な長方形であってもよい。支柱２６３は、図１１に示すように、蓄電装置の最下端まで延在していることが一形態において好ましい。この場合、本実施形態のように、支柱２６３の下端部を切除し（符号２６３ａ参照）、支柱２６３を本体部９０にやや近接した位置となるような構成としてもよい。このような構成による利点としては、装置の設置面積を小さくすることができる点が挙げられる。
【００６３】
また、このような構成であっても、支柱２６３が上方からの荷重を良好に受けることができるように、切除部２６３ａのうちの水平部２６３ｂが、支柱部材８９−１（一例）の上面で支持されるような構成としてもよい。なお、変形例として、支柱２６３が支柱部材８９−１（一例）までの長さで、支柱２６３の下端部が支柱部材によって支持されるような構成とすることもできる。背面側についても同様である。
【００６４】
このような支柱２６３の取付けについて、次に説明する。なお、下記する工程の順番は本発明を何ら限定するものではない。
【００６５】
まず、本体部９０に対して、一方の支柱部材２６２を取り付ける。この取付けは、一例で、本体部９０の上部側のボルト受け部材８６および下部側の取付部材８７、および、高さ方向の中央部付近の支持部材８３に対してネジ止めすることにより、行うことができる。
【００６６】
続いて、他方の支柱部材２６１を取り付ける。この取付けは、一例で、該支柱部材２６１を支柱部材２６２に対してネジ止めすることにより行うことができる。このような支柱の取付け作業を、本体部９０の前面側の２箇所および背面側の２箇所で行うことで、４本の支柱２６３の取付けが完了する。
【００６７】
以上のように構成された図１１の蓄電装置においても、上述したものと同様、電池等を内蔵する本体部９０の外側に本体部９０よりも上方に突出した支柱２６３が設けられているので、例えば災害時に万一何らかの重量物が装置上に落下したとしても、１本または複数本の支柱２６３でそれを受けることができ、したがって、本体部９０の変形・破損等を防止することが可能となる。
【００６８】
また、支柱２６３は、支持部材８３や、下部側の取付部材８７に固定されているので、過大な荷重がかかった場合であっても座屈したり、支柱下端部側が外側に変位したりすることなく、良好に荷重を受けることができる。
【００６９】
以上、図面を参照しながら具体的な構成を説明したが、本発明は種々変更されてもよい。例えば前面側の支柱２６３と背面側の支柱２６３との上部に、上記実施形態と同様、受け部材を取り付けるようにしてもよい。受け部材は、２本の支柱２６３に対して１つずつ配置されるようなサイズのものであってもよいが、４本すべての支柱２６３を覆うような大きなサイズのものとしてもよい。
【００７０】
上記説明では部材どうしを固定するのにネジ止め等を例に挙げたが、他にも、金属部材どうしを溶接により固定したり、物理的な係合により固定したりするようにしてもよい。
【００７１】
・上記実施形態では、支柱２１１が外側に変位または変形するのを防止するための部材として連結部材２１５を用いたが、他の構造を採用してもよいことは言うまでもない。例えば、支柱の一部を、直接、本体部や架台部に取り付けるようにしてもよい。取付けには、任意の固定具（一例でネジ、ピン、バンド、クリップ等）を用いることができる。
・支柱２１１は筐体のパネルに当接するように設けられていてもよいし、または、所定の隙間が生じるように筐体のパネルから僅かに離して設けられていてもよい。
・支柱２１１と受け部材２１３とは、固定具（一例でネジ、ピン、バンド、クリップ等）により互いに固定されていることも好ましい。
【００７２】
この出願は、２０１３年３月１５日に出願された国際出願ＰＣＴ／ＪＰ２０１３／０５７４４３の開示の全てをここに参照により取り込む。
【００７３】
（付記）
本出願は少なくとも以下の発明を開示する。ここで、括弧内の符号は本発明を限定することを何ら意図するものではない：
１．少なくとも蓄電池ユニット（１１）を収容する筐体を有する本体部（９０）と、
上記筐体の外側に配置された支柱であって、その上端が上記筐体の上面よりも突出している支柱（２１１−１）と、
を備える、蓄電装置。
【００７４】
２．さらに、（ｉ）上記支柱の一部を上記筐体に対して固定する固定部材（８３等）、および／または（ｉｉ）上記支柱が外側に変位または変形するのを規制する押さえ部材（２３３）を備える、上記記載の蓄電装置。
「押さえ部材」は、通常時（組立状態）で支柱に当接するものであってもよいし、または、通常時は当接していないが支柱が変位した場合に支柱に当接して変位または変形を防止するものであってもよい。押さえ部材は、単に、変位防止部材または変形防止部材と称してもよい。
【００７５】
３．さらに、上記支柱の下端側の一部に固定され、上記支柱が外側に変位するのを規制する連結部材（２１５）を備える、上記記載の蓄電装置。
【００７６】
４．上記支柱として、上記筐体の前面側に配置された支柱（２１１−１）と、背面側に配置された支柱（２１１−２）とが配置されている、上記記載の蓄電装置。
【００７７】
５．前面側の前記支柱と、背面側の前記支柱とが対の形態で配置されている、上記記載の蓄電装置。ここで、「対の形態で配置」とは、例えば、幅方向の位置が互いに揃っていることをいう。
【００７８】
６．さらに、前面側の上記支柱（２１１−１）と背面側の上記支柱（２１１−２）との上部に配置された受け部材（２１３）を備える、上記記載の蓄電装置。
【００７９】
７．上記受け部材（２１３）は、所定の間隙をおいて、上記本体部の筐体よりも上方に配置されている、上記記載の蓄電装置。
【００８０】
８．上記支柱の対が２以上設けられている、または、上記支柱が４本以上設けられている、上記記載の蓄電装置。
【００８１】
９．上記支柱が、断面略コ字型の単独の金属部材（例えば、一枚の金属板を断面略コ字型に折り曲げたもの）で構成されている、上記記載の蓄電装置。
【００８２】
１０．上記支柱が、２本の断面略コ字型の金属部材（２６１、２６２）の組合せで構成されている、上記記載の蓄電装置。
【００８３】
１１．上記押さえ部材は、上記支柱よりも外側に配置されるものであって、
さらに、上記押さえ部材の横方向の位置を位置決めする部材（２３５）を有する、上記記載の蓄電装置。
【００８４】
１２．さらに、上記本体部が搭載される架台部（８０）を備える、上記記載の蓄電装置。
【００８５】
１３．少なくとも蓄電池ユニット（１１）を収容する筐体を有する本体部（９０）に対して取付可能な補強構造であって、
上記筐体の高さ寸法よりも長い２本の支柱（２１１−１、２１１−２）と、
上記支柱どうしをその上端で連結する受け部材（２１３）と、
を備える、補強構造。
【００８６】
１４．さらに、上記支柱どうしをその下端で連結する連結部材（２１５）を備える、上記記載の補強構造。
【符号の説明】
【００８７】
１１  蓄電池モジュール
８０  架台部
８３−１、８３−２、８３−３、８３−４  支持部材
８４  支持部材
８６  ボルト受け部材
８７  取付部材
８８  接続部材
８９−１、８９−２  架台部材
９０  本体部
９１−１  フロントパネル
９１−２  リアパネル
９２  トップパネル  
９３−１、９３−２  サイドパネル
１００  蓄電装置
２０１  補強構造
２１１−１、２１１−２  支柱
２１３  受け部材
２１５  連結部材
２３３、２３３′  押さえ部材
２３５、２３５′  固定部材
２６１、２６２  支柱部材
２６３  支柱
Ｓ９０  開口部
【図１】
2016175270.tif 000003
【図２】
2016175270.tif 000004
【図３】
2016175270.tif 000005
【図４】
2016175270.tif 000006
【図５】
2016175270.tif 000007
【図６Ａ】
2016175270.tif 000008
【図６Ｂ】
2016175270.tif 000009
【図６Ｃ】
2016175270.tif 000010
【図６Ｄ】
2016175270.tif 000011
【図７】
2016175270.tif 000012
【図８】
2016175270.tif 000013
【図９】
2016175270.tif 000014
【図１０】
2016175270.tif 000015
【図１１】
2016175270.tif 000016
【図１２】
2016175270.tif 000017
【図１３】
2016175270.tif 000018
【国際調査報告】
2016175270.tif 000019
2016175270.tif 000020
2016175270.tif 000021
2016175270.tif 000022